(57)【要約】【課題】端末装置と、その端末装置から情報を取得してデータ管理装置へ転送するデータ転送装置とを含む通信システムにおいて、データ管理装置の処理負荷及びデータ転送装置とデータ管理装置間の通信負荷を低減して、効率良く端末装置のデータをデータ管理装置へ送信できる通信システムを提供する。【解決手段】通信システムは、端末装置１とゲートウエイ機器２を含む。端末装置１は、アドバタイジングパケットを間欠的に近距離無線通信によりブロードキャスト方式で送信すると共に、未送信データを保持する。ゲートウエイ機器２は、アドバタイジングパケットを受信したときに端末装置１が未送信データを有するか否かを判定し、未送信データを有する場合、未送信データを端末装置１から取得Ｓ３５してサーバ３へ転送すると共にサーバ３が未送信データを受領したことを示す転送完了レコードＴＲを端末装置１へ送信する。【選択図】図１１
2019101658.tif 000002
【特許請求の範囲】
【請求項１】
存在報知信号を間欠的に近距離無線通信によりブロードキャスト方式で送信すると共に、送信すべき所定の情報を保持する端末装置と、
前記近距離無線通信により前記存在報知信号を受信したときに前記端末装置が前記所定の情報を有するか否かを判定し、前記端末装置が前記所定の情報を有する場合、前記近距離無線通信により前記所定の情報を前記端末装置から取得してデータ管理装置へ転送すると共に前記データ管理装置が前記所定の情報を受領したことを示す受領確認信号を前記端末装置へ送信するデータ転送装置と、
を有する、ことを特徴とする通信システム。
【請求項２】
前記存在報知信号は、前記所定の情報が存在することを示すデータ存在情報を組み込み可能であり、
前記端末装置は、前記所定の情報が存在するとき、前記データ存在情報を前記存在報知信号に含めて送信し、
前記データ転送装置は、前記近距離無線通信により受信した前記存在報知信号に前記データ存在情報が含まれているとき、前記端末装置が前記所定の情報を有していると判定して、前記近距離無線通信により前記所定の情報を取得して前記データ管理装置へ転送する、ことを特徴とする請求項１に記載の通信システム。
【請求項３】
前記端末装置は、少なくとも１つのセンサを有し、
前記所定の情報は、前記少なくとも１つのセンサにより測定された測定データであって、かつ前記データ管理装置へ未送信のデータである、ことを特徴とする請求項２に記載の通信システム。
【請求項４】
前記端末装置は、前記未送信のデータの量が所定量以上になると、前記データ存在情報を前記存在報知信号に含める、ことを特徴とする請求項３に記載の通信システム。
【請求項５】
前記データ転送装置は、前記受領確認信号として、前記データ管理装置へ転送済みのデータの範囲を示す転送完了レコードを、前記データ管理装置から受信すると前記端末装置へ転送し、
前記端末装置は、前記受領確認信号として、転送された転送完了レコードを保持し、
前記データ転送装置は、前記転送完了レコードを前記端末装置から取得し、その取得した前記転送完了レコードに基づき、前記未送信のデータを前記端末装置から取得して前記データ管理装置へ転送する、ことを特徴とする請求項３に記載の通信システム。
【請求項６】
前記端末装置は、少なくとも１つの操作部材を有し、
前記端末装置は、前記操作部材が操作されると、前記データ存在情報を前記存在報知信号に含める、ことを特徴とする請求項２に記載の通信システム。
【請求項７】
前記存在報知信号は、グループ情報を含み、
前記データ転送装置は、前記グループ情報が、所定にグループ情報と一致するとき、前記所定の情報を前記端末装置から取得して前記データ管理装置へ転送する、ことを特徴とする請求項１に記載の通信システム。
【請求項８】
前記近距離無線通信は、ブルートゥース（登録商標）規格に応じた通信であり、
前記存在報知信号は、前記ブルートゥース（登録商標）におけるアドバタイジングパケットである、ことを特徴とする請求項１に記載の通信システム。
【発明の詳細な説明】
【技術分野】
【０００１】
本発明は、通信システムに関し、特に、端末装置の情報を近距離無線により取得して転送するデータ転送装置を含む通信システムに関する。
【背景技術】
【０００２】
従来より、端末装置の情報をセンタ装置において管理するシステムがある。例えば、人間の心拍数などの生体情報が端末装置で測定され、端末装置の生体情報をセンタ装置へ送信し、センタ装置が端末装置の生体情報を収集して管理するシステムがある。
【０００３】
そのようなシステムでは、端末装置の情報はパソコンやスマートフォンなどのアプリケーションソフトウエアによりコンピュータ通信網を介してサーバへ送信される。そのため、端末装置のユーザは、スマートフォンなどのアプリケーションソフトウエアを起動して生体情報などを送信しなければならない。
データ管理装置であるサーバは、ユーザからデータが送られてこなければ、ユーザの生体情報などの情報を常時監視することはできない。
【０００４】
そこで、特開２０１７−１３４０１１号公報には、アプリケーションソフトウエアを用いなくてもサーバへデータを送信できるように、ウエアラブル機器がゲートウエイ機器を介してネットワーク上のサーバと通信するようにして、ウエアラブル機器のコンピュータ通信網への常時接続性等を向上させたシステムが提案されている。
【０００５】
そのウエアラブル機器は、ゲートウエイ機器との通信が可能になると、ゲートウエイ機器を介してセンタ装置であるサーバとの通信を行い、ウエアラブル機器のデータがサーバへ転送される。サーバは、ウエアラブル機器の識別子（ＩＤ）に基づいて、転送されたデータを登録して管理する。
【先行技術文献】
【特許文献】
【０００６】
【特許文献１】特開２０１７−１３４０１１号公報
【発明の概要】
【発明が解決しようとする課題】
【０００７】
しかし、上述のようなゲートウエイ機器を用いたシステムでは、データ管理装置であるサーバが主となって、データ転送処理を司るため、サーバの処理負荷、及びサーバとゲートウエイ機器間の通信負荷が高いという問題がある。
【０００８】
例えば、ゲートウエイ機器は、端末装置と通信が可能になると、その端末装置についての登録データの問い合わせをサーバへ行う。サーバは、その問い合わせに対して、通信可能となった端末装置についてのデータの登録状況をチェックし、既に登録しているデータ以降のデータの転送要求をゲートウエイ機器へ送信する。
【０００９】
ゲートウエイ機器は、サーバからのデータ転送要求を受けて、データ送信要求を端末装置に送信し、データを取得し、サーバへ転送する。
すなわち、ゲートウエイ装置は、通信可能になった端末装置のデータの登録状況をサーバへ問い合わせ、サーバは、その問い合わせに対して、通信可能となった端末装置のレコード番号などを確認する。
【００１０】
そして、サーバは、登録されているデータのレコード番号以降のデータ（すなわちサーバにとっては未登録のデータ）を転送するようにゲートウエイ機器へデータ転送要求を送信し、ゲートウエイ機器は、その転送要求に基づいて、ウエアラブル機器からデータを取得して、サーバへ転送する、という手順が取られる。
従って、サーバの処理負荷及び、及びサーバとゲートウエイ機器間の通信負荷は、高い。特に、端末装置の数が多くなると、サーバの処理負荷は一層高くなる。
【００１１】
そこで、本発明は、端末装置と、その端末装置から情報を取得してデータ管理装置へ転送するデータ転送装置とを含む通信システムにおいて、データ管理装置の処理負荷及びデータ転送装置とデータ管理装置間の通信負荷を低減して、効率良く端末装置のデータをデータ管理装置へ送信できる通信システムを提供することを目的とする。
【課題を解決するための手段】
【００１２】
本発明の通信システムは、存在報知信号を間欠的に近距離無線通信によりブロードキャスト方式で送信すると共に、送信すべき所定の情報を保持する端末装置と、前記近距離無線通信により前記存在報知信号を受信したときに前記端末装置が前記所定の情報を有するか否かを判定し、前記端末装置が前記所定の情報を有する場合、前記近距離無線通信により前記所定の情報を前記端末装置から取得してデータ管理装置へ転送すると共に前記データ管理装置が前記所定の情報を受領したことを示す受領確認信号を前記端末装置へ送信するデータ転送装置と、を有する。
【００１３】
本発明によれば、端末装置と、その端末装置から情報を取得してデータ管理装置へ転送するデータ転送装置とを含む通信システムにおいて、データ管理装置の処理負荷及びデータ転送装置とデータ管理装置間の通信負荷を低減して、効率良く端末装置のデータをデータ管理装置へ送信できる通信システムを提供することができる。
【００１４】
本発明において、前記存在報知信号は、前記所定の情報が存在することを示すデータ存在情報を組み込み可能であり、前記端末装置は、前記所定の情報が存在するとき、前記データ存在情報を前記存在報知信号に含めて送信し、前記データ転送装置は、前記近距離無線通信により受信した前記存在報知信号に前記データ存在情報が含まれているとき、前記端末装置が前記所定の情報を有していると判定して、前記近距離無線通信により前記所定の情報を取得して前記データ管理装置へ転送する、ことが好ましい。
【００１５】
本発明において、前記端末装置は、少なくとも１つのセンサを有し、前記所定の情報は、前記少なくとも１つのセンサにより測定された測定データであって、かつ前記データ管理装置へ未送信のデータであることが好ましい。
【００１６】
本発明において、前記端末装置は、前記未送信のデータの量が所定量以上になると、前記データ存在情報を前記存在報知信号に含めることが好ましい。
【００１７】
本発明において、前記データ転送装置は、前記データ管理装置へ転送済みのデータの範囲を示す転送完了レコードを、前記データ管理装置から受信すると前記端末装置へ転送し、前記端末装置は、転送された転送完了レコードを保持し、前記データ転送装置は、前記転送完了レコードを前記端末装置から取得し、その取得した前記転送完了レコードに基づき、前記未送信のデータを前記端末装置から取得して前記データ管理装置へ転送することが好ましい。
【００１８】
本発明において、前記端末装置は、少なくとも１つの操作部材を有し、前記端末装置は、前記操作部材が操作されると、前記データ存在情報を前記存在報知信号に含めることが好ましい。
【００１９】
本発明において、前記存在報知信号は、グループ情報を含み、前記データ転送装置は、前記グループ情報が、所定にグループ情報と一致するとき、前記所定の情報を前記端末装置から取得して前記データ管理装置へ転送することが好ましい。
【００２０】
本発明において、前記近距離無線通信は、ブルートゥース（登録商標）規格に応じた通信であり、前記存在報知信号は、前記ブルートゥース（登録商標）におけるアドバタイジングパケットであることが好ましい。
【発明の効果】
【００２１】
本発明によれば、端末装置と、その端末装置から情報を取得してデータ管理装置へ転送するデータ転送装置とを含む通信システムにおいて、データ管理装置の処理負荷及びデータ転送装置とデータ管理装置間の通信負荷を低減して、効率良く端末装置のデータをデータ管理装置へ送信できる通信システムを提供することができる。
【図面の簡単な説明】
【００２２】
【図１】本発明の実施形態に関わる端末装置１の外観図である。
【図２】本発明の実施形態に関わるゲートウエイ機器２の外観図である。
【図３】本発明の実施形態に関わる端末装置１の本体部１１のハードウエア構成を示すブロック図である。
【図４】本発明の実施形態に関わる、端末装置１の各種機能を実現するためのソフトウエア構成を示す構成図である。
【図５】本発明の実施形態に関わるゲートウエイ機器２の内部構成を示すブロック図である。
【図６】本発明の実施形態に関わる通信システムの構成図である。
【図７】本発明の実施形態に関わる、端末装置１の測定と記録についての処理の流れの例を示すフローチャートである。
【図８】本発明の実施形態に関わる、端末装置１の転送データ存在フラグのリセット処理の流れの例を示すフローチャートである。
【図９】本発明の実施形態に関わる、端末装置１のデータ送信処理の流れの例を示すフローチャートである。
【図１０】本発明の実施形態に関わるアドバタイジングパケットの構造を説明するための図である。
【図１１】本発明の実施形態に関わる、ゲートウエイ機器２の送受信処理の流れの例を示すフローチャートである。
【図１２】本発明の実施形態に関わる、端末装置１の転送完了レコードＴＲの送受信処理の流れの例を示すフローチャートである。
【発明を実施するための形態】
【００２３】
以下、図面を参照して本発明の実施形態を説明する。
（システム構成）
本実施形態に関わる通信システムは、複数の端末装置１と、複数のゲートウエイ機器２と含んで構成される。
【００２４】
図１は、本実施形態に関わる端末装置１の外観図である。端末装置１は、本体部１１と、装着部１２とを有して構成される。ここでは、端末装置１は、後述する生体情報などが測定される対象者、すなわち端末装置１を装着した者（以下、ユーザという）の前腕の手首に装着して使用されるリストバンド型のウエアラブル機器である。
装着部１２は、本体部１１の長手方向両端部に取り付けられる２本のバンド１２ａ、１２ｂから構成される。２本のバンド１２ａ、１２ｂは、それぞれ細長帯状に形成され、先端に留め具１３、１４を有している。装着部１２は、２本のバンド１２ａ、１２ｂをユーザの前腕に巻き付けるようにしてユーザの前腕に装着される。ユーザは、本体部１１を前腕の外側（手の甲側）に配置し、２本のバンド１２ａ、１２ｂをそれぞれ前腕の内側（手のひら側）に回し、留め具１３、１４同士を係止させて前腕に装着する。
【００２５】
図１には図示していないが、端末装置１には、操作ボタンと表示器がユーザインターフェースとして設けられている。  
図２は、本実施形態に関わるゲートウエイ機器２の外観図である。図２に示すように、ゲートウエイ機器２は、小判型の形状を有する本体２１に、複数の発光ダイオード（以下、ＬＥＤという）からなる表示ランプ部２２と、操作ボタン２３とが設けられた携帯型装置である。
【００２６】
ゲートウエイ機器２は、１又は２以上の建物などの所定のエリア内で、端末装置１を装着したユーザが行動する範囲内に、複数配置される。例えば、複数のゲートウエイ機器２が、個人住宅、集合住宅、病院、老人介護施設などの１又は２以上の建物内で、ユーザが行動する範囲内に、設置される。
（端末装置１の内部構成）
図３は、本実施形態に関わる端末装置１の本体部１１のハードウエア構成を示すブロック図である。
端末装置１の本体部１１は、制御部３１と、メモリ３２と、無線通信部３３と、時計部３４と、ユーザインターフェースとしての操作表示部３５と、各種センサを含むセンサ部３６と、バッテリ３７とを有する。 
制御部３１は、中央処理装置（以下、ＣＰＵという）３１ａ、ＲＯＭ３１ｂ、ＲＡＭ３１ｃ、及び図示しない各種インターフェース（以下、Ｉ／Ｆと略す）を有している。
【００２７】
制御部３１のＲＯＭ３１ｂには、端末装置１の各種機能のためのソフトウエアプログラム及びデータが記録されている。各種機能には、各種センサなどの出力信号から所望のデータを算出する機能、その算出されたデータをゲートウエイ機器２へ送信するための通信機能、等々が含まれる。なお、ＲＯＭ３１ｂは、フラッシュメモリなどの、書き換え可能な不揮発性メモリでもよい。  
メモリ３２は、フラッシュメモリなどの書き換え可能な不揮発性メモリであり、各種センサにより検出されたデータを一時的に格納するための記憶部である。また、メモリ３２には、後述する転送完了レコードＴＲも記憶される。後述するように、転送完了レコードＴＲは、後述するサーバ３（図６）へ転送されたデータの範囲を示す情報であり、サーバ３（図６）から送信されてメモリ３２に記憶される。
【００２８】
無線通信部３３は、所定の距離内でゲートウエイ機器２と通信を行うための近距離無線通信のための回路である。近距離無線通信における近距離は、例えば１００ｍ内の距離である。
【００２９】
ここでは、無線通信部３３は、ブルートゥース（登録商標）規格に沿った無線通信のための回路を含んでいる。無線通信部３３は、制御部３１の制御の下で動作して、ゲートウエイ機器２と近距離無線通信を行う。すなわち、端末装置１とゲートウエイ機器２間の近距離無線通信は、ブルートゥース（登録商標）規格に応じた通信である。
時計部３４は、時刻情報を生成し出力する回路である。時計部３４の時刻情報を含む出力信号は、図示しないＩ／Ｆを介して制御部３１に入力され、ＣＰＵ３１ａは、時計部３４から、年月日及び時間の時刻情報を取得することができる。後述するように、各種センサの測定データは、時計部３４の時刻情報と共にメモリ３２に格納され、ゲートウエイ機器２へ送信される。
【００３０】
操作表示部３５は、発光ダイオード（以下、ＬＥＤという）などの表示器３５ａと、ユーザが操作する部材である操作ボタン３５ｂを有している。なお、操作表示部３５の表示器３５ａと操作ボタン３５ｂは、例えば、タッチパネル付きの表示装置でもよい。
【００３１】
センサ部３６は、複数のセンサと測定回路とを含む。ここでは、センサ部３６は、加速度センサ３６ａ、温度センサ３６ｂ、脈波センサ３６ｃ、紫外線センサ３６ｄ及びバッテリ電圧測定回路３６ｅを含む。
【００３２】
加速度センサ３６ａは、互いに直交する３軸方向の加速度を検出するセンサである。加速度センサ３６ａは、端末装置１を装着したユーザの腕の動きを検出することによって、ユーザの歩数と消費カロリの検出のために用いられる。
【００３３】
温度センサ３６ｂは、端末装置１を装着したユーザの体表温度を検出するために用いられるセンサである。温度センサ３６ｂは、端末装置１がユーザの腕に装着されたときに、本体部１１において腕の温度を検出できる位置に設けられる。
【００３４】
脈波センサ３６ｃは、端末装置１を装着したユーザの脈拍を検出するために用いられるセンサである。脈波センサ３６ｃも、端末装置１がユーザの腕に装着されたときに、本体部１１においてユーザの脈波を検出できる位置に設けられる。
【００３５】
紫外線センサ３６ｄは、端末装置１に当たる紫外線の量を検出するために用いられるセンサである。紫外線センサ３６ｄは、端末装置１がユーザの腕に装着されたときに、本体部１１において外部からの紫外線を検出できる位置に設けられる。
【００３６】
バッテリ電圧測定回路３６ｅは、バッテリ３７に接続され、バッテリ３７の出力電圧を測定するために用いられる回路である。
【００３７】
センサ部３６の各センサの出力信号は、図示しないＩ／Ｆを介して制御部３１に入力される。バッテリ電圧測定回路３６ｅの出力信号も図示しないＩ／Ｆを介して制御部３１に入力される。
【００３８】
バッテリ３７は、例えば二次電池などであり、端末装置１の各種回路へ電力を供給する電源である。  
図４は、端末装置１の各種機能を実現するためのソフトウエア構成を示す構成図である。
【００３９】
図４に示すように、端末装置１のソフトウエア５１は、端末装置１全体の制御のための全体制御部５２と、記録／通信部５３と、ユーザインターフェース（以下、ＵＩと略す）部５４と、データ測定部５５とを含む。全体制御部５２、記録／通信部５３、ＵＩ部５４及びデータ測定部５５は、ＲＯＭ３１ｂに格納されたソフトウエアプログラムであり、ＣＰＵ３１ａがＲＯＭ３１ｂからこれらのプログラムを読み出して実行することにより各機能が実現される。
【００４０】
センサ部３６の各センサの出力信号は、制御部３１に入力されて、デジタルデータに変換される。バッテリ電圧測定回路３６ｅの出力信号、及び時計部３４の出力信号も、制御部３１に入力されて、デジタルデータに変換される。
【００４１】
全体制御部５２は、初期化部５２ａと動作設定部５２ｂを含む。初期化部５２ａは、端末装置１の電源がオンされたときに端末装置１の初期化を行うためのプログラムである。動作設定部５２ｂは、端末装置１の動作状態に応じて各種処理を実行するために各種動作に関する設定を行うためのプログラムである。すなわち、全体制御部５２は、端末装置１全体の動作の制御を行う。
【００４２】
記録／通信部５３は、記録／通信制御部５３ａ、測定データ記録部５３ｂ及びブルートゥース（登録商標）制御部５３ｃを含む。  
記録／通信制御部５３ａは、記録／通信部５３におけるデータの記録と通信の制御処理を実行する。
【００４３】
測定データ記録部５３ｂは、センサ部３６の各センサの測定データをメモリ３２に記録する処理を行う。  
ブルートゥース（登録商標）制御部５３ｃは、無線通信部３３によりゲートウエイ機器２との、ブルートゥース（登録商標）の通信規格による近距離無線通信を行うための制御処理を行う。
【００４４】
よって、記録／通信制御部５３ａは、全体制御部５２の制御の下、測定データ記録部５３ｂとブルートゥース（登録商標）制御部５３ｃの動作を制御する。  
端末装置１は、ゲートウエイ機器２へ自己の存在を報知するための処理を行う。本実施形態では、端末装置１は、ブルートゥース（登録商標）ローエナジー（ブルートゥース（登録商標）の４．０以降の規格）の通信規格のアドバタイジングパケットの送信を行うことによって、近距離通信可能範囲内の他のブルートゥース（登録商標）の機器に、自己の存在を報知する処理を行う。
【００４５】
アドバタイジングパケットは、ブルートゥース（登録商標）の通信規格において規定された存在報知信号であり、間欠的にブロードキャスト方式で送信される。アドバタイジングパケットは、言い換えれば、ビーコン信号である。
すなわち、端末装置１は、存在報知信号としてのアドバタイジングパケットを間欠的に近距離無線通信によりブロードキャスト方式で送信する。
【００４６】
ＵＩ部５４は、ＵＩ制御部５４ａ、ＬＥＤ表示制御部５４ｂ及びボタン制御部５４ｃを含む。  
ＵＩ制御部５４ａは、操作表示部３５に関する処理を行うと共に、ＬＥＤ表示制御部５４ｂ及びボタン制御部５４ｃを制御する。
【００４７】
ＬＥＤ表示制御部５４ｂは、ＵＩ制御部５４ａの指示に応じて、表示器３５ａの表示状態を変更する制御を行う。  
ボタン制御部５４ｃは、ユーザにより操作ボタン３５ｂに対して行われた操作を検出し、ＵＩ制御部５４ａに操作情報を供給する。
【００４８】
よって、ＵＩ制御部５４ａは、全体制御部５２の制御の下、ＬＥＤ表示制御部５４ｂとボタン制御部５４ｃの動作を制御する。  
データ測定部５５は、歩数／カロリ算出部５５ａ、脈波センサ利得制御部５５ｂ、脈拍算出部５５ｃ、バッテリ残量算出部５５ｄ、紫外線量算出部５５ｅ及び体表温度算出部５５ｆを含む。
【００４９】
歩数／カロリ算出部５５ａは、加速度センサ３６ａの出力信号から、ユーザの歩数と消費カロリを算出する。  
脈波センサ利得制御部５５ｂは、脈波センサ３６ｃの利得を制御する。
【００５０】
脈拍算出部５５ｃは、脈波センサ３６ｃの出力信号から脈拍を算出する。  
バッテリ残量算出部５５ｄは、バッテリ電圧測定回路３６ｅの測定したバッテリ３７の出力電圧のデータからバッテリ３７のバッテリ残量を算出する。
【００５１】
紫外線量算出部５５ｅは、紫外線センサ３６ｄの出力信号から紫外線量を算出する。  
体表温度算出部５５ｆは、温度センサ３６ｂの出力信号からユーザの体表温度を算出する。
【００５２】
以上のように、データ測定部５５は、各センサ及び回路の出力信号から所定の測定データを算出する。
（ゲートウエイ機器の構成）
図５は、本実施形態に関わるゲートウエイ機器２の内部構成を示すブロック図である。
ゲートウエイ機器２は、制御部４１と、メモリ４２と、無線通信部４３、４４と、ユーザインターフェースとしての操作表示部４５と、バッテリ４６とを有する。 
制御部４１は、ＣＰＵ４１ａ、ＲＯＭ４１ｂ、ＲＡＭ４１ｃ、及び図示しない各種インターフェース（以下、Ｉ／Ｆと略す）を有している。
【００５３】
制御部３１のＲＯＭ４１ｂには、ゲートウエイ機器２の各種機能のためのソフトウエアプログラム及びデータが記録されている。各種機能には、端末装置１との通信、及びサーバ３（図６）との通信などの機能が含まれる。なお、ＲＯＭ４１ｂは、フラッシュメモリなどの、書き換え可能な不揮発性メモリでもよい。  
メモリ４２は、フラッシュメモリなどの書き換え可能な不揮発性メモリであり、各通信のための各種情報を格納するための記憶部である。端末装置１からのデータは、メモリ４２あるいはＲＡＭ４１ｃに一時的に格納される。
【００５４】
無線通信部４３は、所定の距離内で端末装置１と通信を行うための近距離無線通信のための回路である。ここでは、無線通信部４３は、ブルートゥース（登録商標）規格に沿った無線通信のための回路を含んでいる。無線通信部４３は、制御部４１の制御の下で動作して、端末装置１と近距離無線通信を行う。
さらに、ゲートウエイ機器２は、ブルートゥース（登録商標）通信により端末装置１からの上述したアドバタイジングパケットを受信可能である。
【００５５】
無線通信部４４は、後述するサーバ３とのデータ通信を行うための回路であり、携帯電話等に用いられているセルラー方式の無線通信のための回路である。無線通信部４４は、制御部４１の制御の下で動作して、サーバ３との通信を行う。すなわち、無線通信部４４は、近くの無線基地局を介してコンピュータ通信網であるインターネットに接続して、サーバ３と通信するための回路を含んでいる。
【００５６】
操作表示部４５は、図２に示した、表示ランプ部２２と、ユーザが操作する操作ボタンを含む。  
バッテリ４６は、例えば二次電池などであり、ゲートウエイ機器２の各種回路へ電力を供給する電源である。
【００５７】
図６は、本実施形態の通信システムの構成図である。  
サーバ３は、コンピュータ通信網であるインターネットなどのネットワーク４に接続され、複数の端末装置１のデータを収集し管理するセンタ装置である。各ゲートウエイ機器２は、上述したように、インターネットに接続するための無線通信機能を有しており、その無線通信機能によりネットワーク４に接続可能であり、サーバ３と通信可能である。
【００５８】
複数のゲートウエイ機器２を１又は２以上の建物内に分散して設置することにより、各端末装置１は、いずれかのゲートウエイ機器２と近距離無線通信により通信が可能となり、ゲートウエイ機器２は、各端末装置１のユーザの脈拍などの情報をサーバ３へ転送することができる。よって、サーバ３は、所定のエリア内のユーザの脈拍などの所定の情報を常時監視できるようになっている。
本実施形態では、センサ部３６は、複数のセンサを有しているが、センサは少なくとも１つでもよく、端末装置１が送信する所定の情報は、少なくとも１つのセンサにより測定された測定データであって、かつデータ管理装置であるサーバ３へ未送信のデータである。
【００５９】
各端末装置１と各ゲートウエイ機器２は、所定のグループに属するように設定される。グループは、ＵＵＩＤ（Ｕｎｉｖｅｒｓａｌｌｙ  Ｕｎｉｑｕｅ  ＩＤｅｎｔｉｆｉｅｒ）により定義され、各端末装置１と各ゲートウエイ機器２は、それぞれメモリ３２と４２に設定されたＵＵＩＤ情報を有している。
【００６０】
同じＵＵＩＤを有する複数の端末装置１は、１つのグループを形成し、その同じＵＵＩＤを有する複数のゲートウエイ機器２も、複数の端末装置１と同じグループに属することになる。よって、グループ情報であるＵＵＩＤを、各端末装置１と各ゲートウエイ機器２にＵＵＩＤを設定することによって、各ゲートウエイ機器２は、同じＵＵＩＤを有する端末装置１のみからのデータを取得して、サーバ３へ転送することができる。言い換えれば、各ゲートウエイ機器２は、自己のＵＵＩＤとは異なるＵＵＩＤを有する端末装置１のデータを取得しない。
【００６１】
サーバ３は、所定のアプリケーションプログラムを有して実行しており、ゲートウエイ機器２からの端末装置１のデータは、そのアプリケーションプログラムの下で収集され、サーバ３の記憶装置に記録される。
【００６２】
図６では、ゲートウエイ機器２ａと通信していた端末装置１ａ（二点鎖線で示す）を有するユーザが、移動して他の最寄りのゲートウエイ機器２ｂの通信をするようになることが示されている。その結果、端末装置１ａのデータは、ゲートウエイ機器２ｂにより取得され、サーバ３へ転送される。
各端末装置１は、ＭＡＣアドレスなどの端末装置１のＩＤ情報を含むパケットによりゲートウエイ機器２と通信を行うので、ゲートウエイ機器２は、各端末装置１と個別に通信することができる。
【００６３】
図６では、ゲートウエイ機器２ｂは端末装置１ｂとも通信をしているが、ゲートウエイ機器２ｂが、端末装置１ａと通信するようになっても、ゲートウエイ機器２ｂは、ＩＤ情報に基づいて端末装置１ａと１ｂを区別して、端末装置１ａと１ｂと個別に通信して、各々のデータの取得をすることができる。  
よって、端末装置１が複数のゲートウエイ機器２と通信可能な所定のエリア内にありさえすれば、いずれかのゲートウエイ機器２が、端末装置１と通信することができる。
以下、端末装置１におけるデータ測定処理と、端末装置１とゲートウエイ機器２間の通信処理について説明する。
（作用）
始めに、端末装置１における測定処理と記録処理について説明する。
（端末装置の測定及び記録処理）
図７は、端末装置１の測定と記録についての処理の流れの例を示すフローチャートである。図７の処理は、ＣＰＵ３１ａがＲＯＭ３１ｂに格納されたプログラムを読み出してＲＡＭ３１ｃに展開して実行することにより行われる。
【００６４】
制御部３１は、測定処理を実行する（ステップ（以下、Ｓと略す）１）。測定処理は、センサ部３６の各センサからの出力信号を受信するデータ測定部５５により行われる。  
制御部３１は、Ｓ１の後、所定時間が経過したかを判定し（Ｓ２）、所定時間が経過していなければ（Ｓ２：ＮＯ）、処理は、Ｓ１に戻る。Ｓ２の所定時間は、例えば１分である。
【００６５】
所定時間が経過すると（Ｓ２：ＹＥＳ）、制御部３１は、データ記録処理を実行する（Ｓ３）。データ記録処理は、測定データ記録部５３ｂにより行われ、複数のセンサのデータは、メモリ３２に記録される。
【００６６】
ここでは、複数のセンサのデータは、１つのレコードとして、レコード番号と関係付けられてメモリ３２に格納される。レコード番号は、１つのレコードが追加してメモリ３２に記録される度に、１つだけインクリメントされる。
【００６７】
また、各レコードには、時計部３４から出力された時刻データが付加される。よって、各レコードは、所定時間間隔の時刻データを含む。  
なお、時計部３４から出力された時刻データは、各センサのデータ毎に付加するようにしてもよい。
【００６８】
制御部３１は、データ測定部５５により、１分間、各センサの出力信号を受信して、１分間の活動量、心拍数、紫外線量などの測定データを算出する。算出された、歩数、消費カロリ、脈拍数、紫外線量及び体表温度の各データは、１つのレコードとして時刻データと関連付けられてメモリ３２に記憶される。
【００６９】
データ記録処理後、制御部３１は、記録したデータの中で未送信データのレコード数が所定数以上になったかを判定し（Ｓ４）、未送信データのレコード数が所定数あるいは所定量以上になると、端末装置１が送信すべきデータがあることを示す転送データ存在フラグＳＦを「１」にセットする（Ｓ５）。転送データ存在フラグＳＦは、内部情報として、メモリ３２の所定の記憶領域に書き込まれる。所定数あるいは所定数は、例えば、５０である。
すなわち、端末装置１は、送信すべき所定の情報として、未送信データを保持する。そして、端末装置１は、未送信のデータの量が所定量になると、転送データ存在フラグＳＦを「１」にセットする。
【００７０】
未送信データのレコード数が所定数以上にならなければ（Ｓ４：ＮＯ）、処理は、Ｓ１に戻り、Ｓ１からＳ３の処理が繰り返される。  
未送信データのレコード数が所定数以上になると（Ｓ４：ＹＥＳ）、メモリ３２の所定の記憶領域に転送データ存在フラグＳＦを「１」にセットした後、処理は、１に戻る。転送データ存在フラグＳＦは、上述したように端末装置１の内部情報である。
【００７１】
以上のように、制御部３１は、記録したデータの中で、未送信データのレコード数が所定数以上になったか否かを常に監視しており、未送信データのレコード数が所定数以上になると転送データ存在フラグを「１」にセットする。
【００７２】
なお、制御部３１は、未送信のデータのレコード数を監視し、未送信のデータのレコード数が、所定数未満になると転送データ存在フラグを「０」にセットする処理を別途行っている。
【００７３】
図８は、端末装置１の転送データ存在フラグのリセット処理の流れの例を示すフローチャートである。図８の処理は、転送データ存在フラグＳＦが「１」のときに、ＣＰＵ３１ａがＲＯＭ３１ｂに格納されたプログラムを読み出してＲＡＭ３１ｃに展開して実行することにより行われる。
【００７４】
制御部３１は、未送信データのレコード数が所定数未満になったか否かを判定する（Ｓ１１）。  
未送信データのレコード数が所定数未満にならなければ（Ｓ１１：ＮＯ）、制御部３１は、何もしない。
【００７５】
未送信データのレコード数が所定数未満になると（Ｓ１１：ＹＥＳ）、制御部３１は、転送データ存在フラグＳＦを「０」にセットする（Ｓ１２）。  
以上のように、制御部３１は、データの記録処理を行いながら、未送信データのレコード数を監視し、そのレコード数が所定数以上になると、転送データ存在フラグＳＦを「１」にセットし、そのレコード数が所定数未満になると、転送データ存在フラグＳＦを「０」にセットする。
【００７６】
各端末装置１は、以上の処理を行うことによって、各種データの測定処理と記録処理を行う。
（端末装置１のアドバタイジングパケットの送信処理）
図９は、端末装置１のデータ送信処理の流れの例を示すフローチャートである。
【００７７】
端末装置１の制御部３１は、ブルートゥース（登録商標）通信におけるアドバタイジングパケットＡＤＰを送信する（Ｓ２１）。上述したように、アドバタイジングパケットＡＤＰは、存在報知信号であり、間欠的にブロードキャスト方式で送信される。
【００７８】
制御部３１は、所定の周期でアドバタイジングパケットＡＤＰを間欠的に送信するが、送信すべきデータすなわち未送信データの有無を示す情報を含めてアドバタイジングパケットＡＤＰを送信する。
【００７９】
アドバタイジングパケットＡＤＰは、３１バイトのデータからなり、その３１バイト中に、送信すべきデータの有無を示す情報としてフラグＦが含まれる。フラグＦは、端末装置１には送信すべきデータが存在するか否かを示すデータ存在情報であり、上述した内部情報である転送データ存在フラグＳＦが「１」になっているとき、値が「１」のフラグＦがアドバタイジングパケットＡＤＰに含められる。
すなわち、存在報知信号であるアドバタイジングパケットＡＤＰは、所定の情報が存在することを示すデータ存在情報（フラグＦ）を組み込み可能である。そして、端末装置１は、所定の情報である未送信データが存在するとき、データ存在情報であるフラグＦをアドバタイジングパケットＡＤＰに含めて送信する。
本実施形態では、端末装置１は、未送信のデータの量が所定量以上になると、データ存在情報としてのフラグＦを、存在報知信号であるアドバタイジングパケットＡＤＰに含めて送信する。
【００８０】
また、上述した内部情報である転送データ存在フラグＳＦが「０」になっているとき、その値が「０」のフラグＦがアドバタイジングパケットＡＤＰに含められる。  
さらに、アドバタイジングパケットＡＤＰは、グループを示すＵＵＩＤと、ＭＡＣアドレスなどの端末装置１のＩＤも含む。
【００８１】
図１０は、アドバタイジングパケットの構造を説明するための図である。図１０に示すように、アドバタイジングパケットＡＤＰは、送信すべきデータの有無を示すフラグＦ、及びグループを示すＵＵＩＤを含む。
【００８２】
上述したように、端末装置１とゲートウエイ機器２間では、ＭＡＣアドレスなどのＩＤ情報も含めて通信が行われているので、端末装置１とゲートウエイ機器２は、お互いの機器を特定することができる。このＩＤ情報は、アドバタイジングパケットＡＤＰの中には含まれていないが、アドバタイジングパケットＡＤＰを含む通信パケット中に含まれる。
【００８３】
アドバタイジングパケットＡＤＰが送信されてゲートウエイ機器２において受信されると、ゲートウエイ機器２は、フラグＦの値をチェックしてフラグＦが「１」であると、通信が必要と判定し、端末装置１との通信を開始して接続モードとなる。ゲートウエイ機器２は、フラグＦが「０」であると、通信は必要なしと判定して端末装置１との通信は開始されない。
【００８４】
よって、制御部３１は、Ｓ２１の後、通信のための情報がゲートウエイ機器２から送信された否かにより、接続モードになったか否かを判定する（Ｓ２２）。  
端末装置１がゲートウエイ機器２に対して接続モードになると（Ｓ２２：ＹＥＳ）、処理は、図１２の処理に移行する。
【００８５】
端末装置１が接続モードにならないとき（Ｓ２２：ＮＯ）、制御部３１は、所定時間が経過したかを判定する（Ｓ２３）。Ｓ２３の所定時間は、例えば１秒である。  
所定時間が経過しなければ（Ｓ２３：ＮＯ）、処理は、Ｓ２２に戻る。所定時間が経過すると（Ｓ２３：ＹＥＳ）、処理は、Ｓ２１に戻る。
【００８６】
よって、端末装置１は、アドバタイジングパケットＡＤＰを間欠的にブロードキャスト方式で送信し、ゲートウエイ機器２から通信のための接続があるまで、Ｓ２１の処理を繰り返す。
（ゲートウエイ機器の送受信処理）
図１１は、ゲートウエイ機器２の送受信処理の流れの例を示すフローチャートである。
【００８７】
ゲートウエイ機器２の制御部４１は、アドバタイジングパケットＡＤＰの検出処理を行う（Ｓ３１）。アドバタイジングパケットＡＤＰの検出処理は、一定の周期、例えば２秒周期で実行される。
【００８８】
制御部４１は、アドバタイジングパケットＡＤＰを検出、すなわち発見したか否かを判定し（Ｓ３２）、アドバタイジングパケットＡＤＰを検出しなければ（Ｓ３２：ＮＯ）、処理はＳ３１へ戻り、アドバタイジングパケットＡＤＰの検出処理を繰り返す。
【００８９】
アドバタイジングパケットＡＤＰが発見されると（Ｓ３２：ＹＥＳ）、制御部４１は、受信したアドバタイジングパケットＡＤＰ中のＵＵＩＤが、対象ＵＵＩＤであるか否かを判定する（Ｓ３３）。対象ＵＵＩＤは、上述したように、ゲートウエイ機器２が端末装置１のデータを取得する対象として予め設定されたグループ情報である。すなわち、ゲートウエイ機器２は、設定されたグループに属する端末装置１であるかをＵＵＩＤにより判定する。
【００９０】
受信したアドバタイジングパケットＡＤＰ中のＵＵＩＤが対象ＵＵＩＤでなければ（Ｓ３３：ＮＯ）、処理は、Ｓ３１へ戻る。  
受信したアドバタイジングパケットＡＤＰ中のＵＵＩＤが対象ＵＵＩＤであると（Ｓ３３：ＹＥＳ）、制御部４１は、未送信データの有無を示すフラグＦが「１」であるか否かを判定する（Ｓ３４）。
【００９１】
未送信データの有無を示すフラグＦが「１」でなければ（Ｓ３４：ＮＯ）、処理は、Ｓ３１へ戻る。この場合は、端末装置１は、対象ＵＵＩＤを有するが、送信すべきデータを有していない場合である。
【００９２】
未送信データの有無を示すフラグＦが「１」であると（Ｓ３４：ＹＥＳ）、ゲートウエイ機器２の制御部４１は、端末装置１との一対一の通信状態に遷移し、端末装置１から転送完了レコードＴＲを取得する転送完了レコードの取得処理を実行する（Ｓ３５）。ゲートウエイ機器２は、端末装置１との一対一の通信状態に遷移すると、端末装置１との接続モードになる。
【００９３】
転送完了レコードＴＲは、サーバ３により書き込まれた情報であり、最後に転送されたデータのレコード番号を含み、転送されたデータの範囲あるいは転送された最後のデータを示す情報である。上述したように、周期的に記録された各種センサのデータは、レコード番号が付加されてメモリ３２に記憶される。レコード番号が、例えば昇順の番号であれば、転送完了レコードＴＲは、サーバ３へ転送された端末装置１のデータの最後のレコード番号である。
【００９４】
Ｓ３５の処理における転送完了レコードＴＲの取得は、ゲートウエイ機器２が端末装置１へ転送完了レコードＴＲの送信要求を送信し、その送信要求に対して端末装置１がメモリ３２に記録された転送完了レコードＴＲを読み出して送信することによって行われる。
【００９５】
端末装置１が１回の通信でゲートウエイ機器２へ送信できるデータ量の最大量が予め決まっているときは、その最大送信データ量の範囲内で未送信データが端末装置１からゲートウエイ機器２へ送信される。
【００９６】
制御部４１は、転送完了レコードＴＲに基づいて、端末装置１からの未転送データの受信処理を行う（Ｓ３６）。  
具体的には、制御部４１は、転送完了レコードＴＲが示す転送済みの最後のデータのレコード番号以降のレコード番号のデータから所定数だけデータを送信するように、送信要求コマンドを端末装置１に送信し、端末装置１からデータを取得する。
【００９７】
Ｓ３６の後、制御部４１は、受信したデータをサーバ３へ転送する（Ｓ３７）。
以上のように、データ転送装置であるゲートウエイ機器２は、転送完了レコードＴＲを端末装置１から取得し（Ｓ３５）、その取得した転送完了レコードＴＲに基づき、未送信のデータを端末装置１から取得して（Ｓ３６）して、データ管理装置であるサーバ３へ転送する（Ｓ３７）。特に、ここでは、グループ情報であるＵＵＤＩが端末装置１とゲートウエイ機器２において一致したときに、ゲートウエイ機器２は、未送信のデータを端末装置１から取得して（Ｓ３６）して、データ管理装置であるサーバ３へ転送する。
サーバ３は、受信したデータを記憶装置に登録し、登録が完了すると、転送完了レコードＴＲをゲートウエイ機器２へ送信する。
【００９８】
制御部４１は、サーバ３からの転送完了レコードＴＲを受信し（Ｓ３８）、端末装置１へ転送完了レコードＴＲを転送する（Ｓ３９）。
すなわち、ゲートウエイ機器２は、サーバ３へ転送済みのデータの範囲を示す転送完了レコードＴＲを、サーバ３から受信すると（Ｓ３８）、端末装置１へ転送する（Ｓ３９）。Ｓ３９の後、処理は、Ｓ３１へ戻る。  
例えば、Ｓ３５において得られた転送完了レコードが「５０」であるとき、制御部４１は、レコード番号が「５１」以降のデータを、最大５０個の範囲で端末装置１から取得して（Ｓ３６）、サーバ３へ転送する。ゲートウエイ機器２がその５０個のデータを端末装置１から取得してサーバ３へ転送した場合、サーバ３は、転送完了レコードＴＲとして「１００」を算出して保持し、その転送完了レコードＴＲ「１００」は、ゲートウエイ機器２を介して端末装置１に転送されてメモリ３２に保持される。
なお、端末装置１が最大５０個のデータを送信した後に端末装置１の未送信データのレコード数が所定数（Ｓ４）を超えている場合は、次の通信時にもフラグＦが「１」であるため、ゲートウエイ機器２と端末装置１は通信して、未送信データは、ゲートウエイ機器２により取得される。
【００９９】
以上のように、データ転送装置であるゲートウエイ機器２は、近距離無線通信によりアドバタイジングパケットＡＤＰを受信したときに端末装置１が未送信データである所定の情報を有するか否かを判定し（Ｓ３４）、端末装置１が所定の情報を有する場合、近距離無線通信により所定の情報を端末装置１から取得して（Ｓ３５）、サーバ３へ転送する（Ｓ３７）共に、サーバ３が所定の情報を受領したことを示す受領確認信号である転送完了レコードＴＲを端末装置１へ送信する（Ｓ３９）。
ここでは、ゲートウエイ機器２は、近距離無線通信により受信したアドバタイジングパケットＡＤＰにデータ存在情報としてのフラグＦが含まれているとき、端末装置１が所定の情報、すなわち未送信データ、を有していると判定して、近距離無線通信により所定の情報を取得してデータ管理装置であるサーバ３へ転送する。
（端末装置の転送完了レコードの送受信処理）
図１２は、端末装置１の転送完了レコードＴＲの送受信処理の流れの例を示すフローチャートである。
【０１００】
制御部３１は、Ｓ２２において接続モードであると判定されると、ゲートウエイ機器２からの指示に応じて転送完了レコードＴＲの送信処理を実行する（Ｓ４１）。  
具体的には、端末装置１は、ゲートウエイ機器２から転送完了レコードＴＲの送信要求を受信すると、メモリ３２に格納された転送完了レコードＴＲを読み出して、ゲートウエイ機器２へ送信する。
【０１０１】
Ｓ４１の処理は、ゲートウエイ機器２からの転送完了レコードＴＲの送信要求（Ｓ２５）に応じてブルートゥース（登録商標）制御部５３ｃにより実行されるので、端末装置１が転送完了レコードＴＲの送信要求を受信しなければ、実行されない。
【０１０２】
制御部３１は、ゲートウエイ機器２からの指示に応じて未送信データの送信処理を実行する（Ｓ４２）。  
具体的には、端末装置１は、ゲートウエイ機器２から未送信データの送信要求を受信すると、メモリ３２に格納された未送信データを読み出して、ゲートウエイ機器２へ送信する。
【０１０３】
Ｓ４２の処理は、ゲートウエイ機器２からの未送信データの送信要求（Ｓ３６）に応じてブルートゥース（登録商標）制御部５３ｃにより実行されるので、端末装置１が未送信データの送信要求を受信しなければ、実行されない。
【０１０４】
なお、端末装置１では、未送信データは、送信されるまで保持されるが、送信済みのデータは消去される。しかし、端末装置１は、送信済みのデータであっても、所定量だけあるいは送信後の所定期間、消去しないで保持するようにしてもよい。
【０１０５】
制御部３１は、ゲートウエイ機器２からの指示に応じて転送完了レコードＴＲの受信処理を実行する（Ｓ４３）。  
具体的には、端末装置１は、ゲートウエイ機器２から転送完了レコードＴＲを受信すると、メモリ３２の所定の記録領域に、受信した転送完了レコードＴＲを書き込む。すなわち、端末装置１は、受領確認信号として、転送された転送完了レコードＴＲをメモリ３２に書き込んで保持する。
【０１０６】
Ｓ４３の処理は、ゲートウエイ機器２からの転送完了レコードＴＲ（Ｓ３９）を受信してブルートゥース（登録商標）制御部５３ｃにより実行されるので、端末装置１が転送完了レコードＴＲを受信しなければ、実行されない。
【０１０７】
例えば、端末装置１のメモリ３２に転送完了レコードＴＲとして、レコード番号「５０」が格納されていれば、Ｓ４１において転送完了レコードＴＲとして「５０」が送信される。さらに、端末装置１に未送信データがあるとき、ゲートウエイ機器２は、Ｓ４２において端末装置１から所定数のデータを端末装置１から取得してサーバ３へ転送する。
【０１０８】
サーバ３は、端末装置１からのデータを取得して自己の記憶装置に登録すると、登録した最後のレコード番号を転送完了レコードＴＲとしてゲートウエイ機器２へ送信する。ゲートウエイ機器２は、転送完了レコードＴＲを端末装置１へ転送して、端末装置１には、Ｓ４３の処理により、サーバ３に登録されたデータの最後のレコード番号を示す転送完了レコードＴＲが格納される。
【０１０９】
端末装置１に格納された転送完了レコードＴＲは、次のデータ転送時にゲートウエイ機器２へ送信され、サーバ３へ転送される。  
さらに、上述したように、未送信データのレコード数が端末装置１の最大送信データ量以上のときは、端末装置１とゲートウエイ機器２間の次の通信時に、未送信データは端末装置１からゲートウエイ機器２へ送信される。
【０１１０】
以上のように、端末装置１は、ユーザの腕に装着され、制御部３１は、所定の周期で各センサの出力信号からユーザの生体情報などを取得し、メモリ３２に格納する。そして、制御部３１は、メモリに格納された各種データをゲートウエイ機器２へ送信するが、未送信データがあるときは、メモリ３２の所定の記憶領域に転送データ存在フラグＳＦをセットしておく。
【０１１１】
端末装置１とゲートウエイ機器２は、近距離無線通信により通信可能であるが、端末装置１は、間欠的に存在報知信号（上述したアドバタイジングパケット）をブロードキャスト方式で、フラグＦを含めて送信する。
【０１１２】
ゲートウエイ機器２は、フラグＦが「１」であるときだけ、転送完了レコードＴＲにより示される未送信データを端末装置１から取得して、サーバ３へ転送する。サーバ３は、端末装置１についての登録した最後のデータ、すなわち転送が完了したデータの最後のデータ、を示す転送完了レコードＴＲをゲートウエイ機器２を介して端末装置１へ転送する。
【０１１３】
端末装置１は、上述したように、サーバ３からの転送完了レコードＴＲを保持しているので、ゲートウエイ機器２からの転送完了レコードＴＲの送信要求に応じて直ぐに送信することができる。そして、ゲートウエイ機器２は、転送完了レコードＴＲに基づいて、直ぐに送信すべきデータを特定して、端末装置１へデータ送信要求を送ることができる。
【０１１４】
従って、上述した実施形態によれば、端末装置と、その端末装置から情報を取得してデータ管理装置であるサーバへ転送するデータ転送装置とを含む通信システムにおいて、データ転送装置とデータ管理装置間の通信負荷及びデータ管理装置の処理負荷を低減して、効率良く端末装置のデータをデータ管理装置へ送信できる通信システムを提供することができる。
【０１１５】
上述した実施形態の通信システムでは、測定データの管理対象となるユーザとしては、介護施設における高齢者、病院の患者などが想定されるが、端末装置１をペット等の動物に装着してもよい。
【０１１６】
さらに、端末装置１は、ロボットなどの移動体でもよく、上述した実施形態の通信システムは、移動体の周囲の温度等のデータの管理にも適用可能である。  
また、従来のシステムではゲートウエイ機器２とサーバ３間の通信負荷が高いため、ゲートウエイ機器２の消費電力も多く、ゲートウエイ機器２がバッテリ駆動の場合、バッテリの寿命が短くなってしまうという問題があったが、上述した実施形態によれば、ゲートウエイ機器２のサーバ３との通信負荷を低減できるため、ゲートウエイ機器２のバッテリ寿命も長くなるという効果もある。
【０１１７】
さらにまた、上述したデータの転送手順を利用して、所定のイベント情報を簡単にかつ迅速に端末装置１からサーバ３へ転送することができる。  
例えば、端末装置１に、図３において点線で示すようなボタン３５Ａを設け、ユーザがボタン３５Ａを操作できるようにする。すなわち、端末装置１に、所定の操作のための少なくとも１つの操作部材としてのボタン３５Ａが設けられる。ここでは、ボタン３５Ａは、例えば、ユーザが転倒等した等の緊急事態の発生をサーバ３へ連絡するために操作される「ＳＯＳ」ボタンである。
【０１１８】
ユーザがボタン３５Ａを操作すると、制御部３１は、上述した転送データ存在フラグＳＦを「１」にセットする。すなわち、端末装置１は、ボタン３５Ａが操作されると、データ存在情報であるフラグＦを、存在報知信号であるアドバタイジングパケットＡＤＰに含める。
端末装置１がゲートウエイ機器２と近距離無線通信が可能な状態にあると、端末装置１は、上述した測定データに代えて、「ＳＯＳ」を示す所定の情報をゲートウエイ機器２へ送信する。ゲートウエイ機器２は、サーバ３へインターネットを介して送信するため、サーバ３の管理者に直ぐに告知して、その管理者は、ユーザのＳＯＳなどに対して迅速に対応できるという効果も生じる。
【０１１９】
さらになお、上述した実施形態では、端末装置１の測定データは、歩数、消費カロリ、脈拍、紫外線量及び体表面温度であるが、加速度センサの出力信号から活動量などのデータも算出して求めるようにしてもよい。
【０１２０】
また、上述した実施形態においては、端末装置１とゲートウエイ機器２間の近距離無線通信は、ブルートゥース（登録商標）による通信であるが、他の近距離無線通信を用いてもよい。
【０１２１】
さらにまた、上述した実施形態においては、ゲートウエイ機器２とサーバ３間の無線通信は、セルラーフォンのための無線電話通信であるが、ＷｉＦｉ、９００ＭＨｚ帯の近距離無線通信を用いてもよい。
【０１２２】
本発明は、上述した実施形態に限定されるものではなく、本発明の要旨を変えない範囲において、種々の変更、改変等が可能である。
【符号の説明】
【０１２３】
１、１ａ、１ｂ  端末装置、２、２ａ、２ｂ  ゲートウエイ機器、３  サーバ、４  ネットワーク、１１  本体部、１２  装着部、１２ａ、１２ｂ  バンド、１３、１４  留め具、２１  本体、２２  表示ランプ部、２３  操作ボタン、３１  制御部、３２  メモリ、３３  無線通信部、３４  時計部、３５  操作表示部、３５Ａ  ボタン、３５ａ  表示器、３５ｂ  操作ボタン、３６  センサ部、３６ａ  加速度センサ、３６ｂ  温度センサ、３６ｃ  脈波センサ、３６ｄ  紫外線センサ、３６ｅ  バッテリ電圧測定回路、３７  バッテリ、４１  制御部、４２  メモリ、４３、４４  無線通信部、４５  操作表示部、４６  バッテリ、５１  ソフトウエア、５２  全体制御部、５２ａ  初期化部、５２ｂ  動作設定部、５３  通信部、５３ａ  記録／通信制御部、５３ｂ  測定データ記録部、５３ｃ  ブルートゥース（登録商標）制御部、５４  ユーザインターフェース（ＵＩ）部、５４ａ  制御部、５４ｂ  表示制御部、５４ｃ  ボタン制御部、５５  データ測定部、５５ａ  歩数／カロリ算出部、５５ｂ  脈波センサ利得制御部、５５ｃ  脈拍算出部、５５ｄ  バッテリ残量算出部、５５ｅ  紫外線量算出部、５５ｆ  体表温度算出部。
【図１】
2019101658.tif 000003
【図２】
2019101658.tif 000004
【図３】
2019101658.tif 000005
【図４】
2019101658.tif 000006
【図５】
2019101658.tif 000007
【図６】
2019101658.tif 000008
【図７】
2019101658.tif 000009
【図８】
2019101658.tif 000010
【図９】
2019101658.tif 000011
【図１０】
2019101658.tif 000012
【図１１】
2019101658.tif 000013
【図１２】
2019101658.tif 000014